(57)【要約】      （修正有）【課題】新規複合型自己破壊注射器を提供する。【解決手段】注射筒１が標準幅セグメント５と拡幅セグメント６とを備え、拡幅セグメントの内壁の幅が標準幅セグメントよりも大きく、拡幅セグメントが注射筒の頂部に位置し、標準幅セグメントにおける拡幅セグメントに近い箇所に固定の役割を果たす固定溝７が設けられ、プランジャーロッド２が可動的に注射筒内に連結され、プランジャーロッドの底部が注射筒の内壁に密閉して嵌合され、プランジャーロッドの内部にキャビティが設けられ、その下にプランジャーロッドに対して上へ運動できるばねスリーブ８が取付けられている新規複合型自己破壊注射器を開示。固定溝を設置し、シールリング３における凸リブと嵌合されて固定の役割を果たせ、プランジャーロッドに２種類の異なる幅の設計を用い、シールリングと密封ゴムが跳ね返りにくくなる。【選択図】図１
0003225525.tif 000002
【実用新案登録請求の範囲】
【請求項１】
注射筒１と、プランジャーロッド２と、シールリング３と、針基４とを備える新規複合型自己破壊注射器であって、前記注射筒１が標準幅セグメント５と拡幅セグメント６とを備え、前記拡幅セグメント６の内壁の幅が標準幅セグメント５よりも大きく、前記拡幅セグメント６が注射筒１の頂部に位置し、前記標準幅セグメント５における拡幅セグメント６に近い箇所に固定の役割を果たす固定溝７が設けられており、前記プランジャーロッド２が可動的に注射筒１に連結され、前記プランジャーロッド２の底部と注射筒１の内壁に密閉して嵌合され、前記プランジャーロッド２の内部にキャビティが設けられており、前記キャビティの下にプランジャーロッド２に対して上へ運動できるばねスリーブ８が取り付けられており、前記ばねスリーブ８の内部とプランジャーロッド２との間に圧縮ばね９が設けられており、前記プランジャーロッド２の外壁に排気孔１０が設けられており、前記ばねスリーブ８の頂部に係止ヘッド１１が設けられており、前記プランジャーロッド２の頂部にゴムシールプラク１２が係止されており、前記プランジャーロッド２の内壁に、ばねスリーブ８の底部を押し付けるための係止ブロック１３が設けられており、前記シールリング３が注射筒１の底部に置かれ、前記シールリング３の中部にスルーホール１４が設けられており、前記シールリング３の両側に固定溝７に嵌合される凸リブ１５が設けられており、前記針基４が下から上へ幅が順番に減少していく第１の段差面１６、第２の段差面１７及び第３の段差面１８を含み、前記針基４が第１の段差面１６を介してシールリング３のスルーホール１４に固定され、前記第１の段差面１６に、係止ヘッド１１と嵌合される係合溝１９が設けられており、前記第３の段差面１８の内部に注射針２０が設けられていることを特徴とする、新規複合型自己破壊注射器。
【請求項２】
前記係止ブロック２１が四等分の構造となり、環状にプランジャーロッド２の内壁に設けられることを特徴とする、請求項１に記載の新規複合型自己破壊注射器。
【請求項３】
前記シールリング３の底部にゴムシールプラク１２の頂部と嵌合される凹面２１が設けられていることを特徴とする、請求項１に記載の新規複合型自己破壊注射器。
【請求項４】
前記プランジャーロッド２の頂部に裏蓋２２が係止されていることを特徴とする、請求項１に記載の新規複合型自己破壊注射器。
【請求項５】
前記ゴムシールプラク１２にプランジャーロッド２の頂部を係止する係止溝２３が設けられていることを特徴とする、請求項１に記載の新規複合型自己破壊注射器。
【請求項６】
前記第１の段差面１６とシールリング３とが緩衝キャビティ２４を形成することを特徴とする、請求項１に記載の新規複合型自己破壊注射器。
【考案の詳細な説明】
【技術分野】
【０００１】
本考案は、注射器の技術分野に関し、詳しくは新規複合型自己破壊注射器に関する。
【背景技術】
【０００２】
注射器が広く用いられるにつれて、患者の交差感染の発生を回避するために、ますます多くの自己破壊注射器が市販されている。自己破壊注射器は、使用後に、再利用を防止できる使い捨て注射器製品であり、様々の種類がある。注射完了後に、手動又は機械力により、プランジャをシリンジ内から引き抜くことができないようにし、セルフロックを達成したり、ピストンの密封性能が損なわれたり、注射器のプランジャが押されて折れたりすることが可能であり、最終的に再利用防止の目的を達成させる。現在、市場にも種々の引き込み式の自己破壊注射器がある。このような注射器は、特定の組付け構造を設置することにより、針管が注射完了後に注射器内に引き込まれ、自己破壊機能を実現させることが可能であるが、この種の引き込み式の自己破壊注射器の安全性能により、このような製品の広範な普及が制約され、ユーザが注射器を用いる時に、通常薬液を複数回抜き取り調薬することが必要である。注射器における空気が完全に排出されることを確保する必要があるので、プランジャーロッドを注射器の零位置まで押さなければならない。この操作は安全問題を引き起こしやすくなり、プランジャーロッドが零位置まで押されるにあたって、注射器の自己破壊機能をトリガし、注射器を用いることができなくなる。一方、ユーザがこの種の注射器で患者に薬剤を注射する場合、誤操作もしやすく、注射の過程で注射器の自己破壊機能をトリガすることで、針管が直接患者の体において意外に引き抜かれ、医療事故となる可能性がある。
【考案の概要】
【０００３】
上記技術的課題を解決するために、本考案は以下の技術的手段を提供する。注射筒と、プランジャーロッドと、シールリングと、針基とを備える新規複合型自己破壊注射器であって、前記注射筒が標準幅セグメントと拡幅セグメントとを備え、前記拡幅セグメントの内壁の幅が標準幅セグメントよりも大きく、前記拡幅セグメントが注射筒の頂部に位置し、前記標準幅セグメントにおける拡幅セグメントに近い箇所に固定の役割を果たす固定溝が設けられており、前記プランジャーロッドが可動的に注射筒内に連結され、前記プランジャーロッドの底部が注射筒の内壁に密閉して嵌合され、前記プランジャーロッドの内部にキャビティが設けられており、前記キャビティの下にプランジャーロッドに対して上へ運動できるばねスリーブが取り付けられており、前記ばねスリーブの内部とプランジャーロッドとの間に圧縮ばねが設けられており、前記プランジャーロッドの外壁に排気孔が設けられており、前記ばねスリーブの頂部に係止ヘッドが設けられており、前記プランジャーロッドの頂部にゴムシールプラクが係止されており、前記プランジャーロッドの内壁に、ばねスリーブの底部を押し付けるための係止ブロックが設けられており、前記シールリングが注射筒の底部に置かれ、前記シールリングの中部にスルーホールが設けられており、前記シールリングの両側に固定溝に嵌合される凸リブが設けられており、前記針基が下から上へ幅が順番に減少していく第１の段差面、第２の段差面及び第３の段差面を含み、前記針基が第１の段差面を介してシールリングのスルーホールに固定され、前記第１の段差面に、係止ヘッドと嵌合される係合溝が設けられており、前記第３の段差面の内部に注射針が設けられている。
【０００４】
好ましくは、前記係止ブロックが四等分の構造となり、環状にプランジャーロッドの内壁に設けられる。
【０００５】
好ましくは、前記シールリングの底部にゴムシールプラクの頂部と嵌合される凹面が設けられている。
【０００６】
好ましくは、前記プランジャーロッドの頂部に裏蓋が係止されている。
【０００７】
好ましくは、前記ゴムシールプラクにプランジャーロッドの頂部を係止する係止溝が設けられている。
【０００８】
好ましくは、前記第１の段差面とシールリングとが緩衝キャビティを形成する。
【０００９】
本考案は従来技術に比べ、下記のメリットを有する。固定溝を設置し、シールリングにおける凸リブと嵌合されて固定の役割を良く果たすことができ、プランジャーロッドに２種類の異なる幅の設計を用いることで、シールリングと密封ゴムが跳ね返りにくくなることが可能である。排気孔は手間を省くことができ、注射針が引き込まれやすく、係止ブロックを設けることでばねスリーブの安定性をよりよく保証できる。圧縮ばねの中間が密閉することで、絡み合いを減少して、組立ての仕事量を軽減することができるとともに、注射器に気圧式とばね式の引き込み構造が設けられており、注射器の使用時の安全性を保証する。注射器に緩衝キャビティが設けられ、注射器を用いて調薬することが必要である場合、プランジャーロッドが零位置までプッシュされるにあたって自己破壊機能をトリガすることなく、プランジャーロッドが零位置まで繰り返してプッシュされて、安全に調薬することが可能である。
【図面の簡単な説明】
【００１０】
【図１】本考案に係る新規複合型自己破壊注射器の全体構成概略図である。
【図２】本考案に係る新規複合型自己破壊注射器のプランジャーロッドの概略構成図である。
【図３】本考案に係る新規複合型自己破壊注射器のシールリングの概略構成図である。
【図４】本考案に係る新規複合型自己破壊注射器の針基の概略構成図である。
【図５】本考案に係る新規複合型自己破壊注射器のゴムシールプラクの概略構成図である。
【図６】図２におけるＡ−Ａの箇所の断面図である。
【図７】本考案の零位置状態を示す概略図である。
【図８】本考案の始動状態を示す概略図である。
【図９】本考案の自己破壊の初期状態を示す概略図である。
【図１０】本考案の完全自己破壊状態を示す概略図である。
【図１１】本考案に係る新規複合型自己破壊注射器の圧縮ばねの概略構成図である。
【考案を実施するための形態】
【００１１】
以下に添付図面を参照しながら、本考案をさらに詳述する。
【００１２】
添付図面によれば、注射筒１と、プランジャーロッド２と、シールリング３と、針基４とを備える新規複合型自己破壊注射器であって、前記注射筒１が標準幅セグメント５と拡幅セグメント６とを備え、前記拡幅セグメント６の内壁の幅が標準幅セグメント５よりも大きく、前記拡幅セグメント６が注射筒１の頂部に位置し、前記標準幅セグメント５における拡幅セグメント６に近い箇所に固定の役割を果たす固定溝７が設けられており、前記プランジャーロッド２が可動的に注射筒１に連結され、前記プランジャーロッド２の底部と注射筒１の内壁に密閉して嵌合され、前記プランジャーロッド２の内部にキャビティが設けられており、前記キャビティの下にプランジャーロッド２に対して上へ運動できるばねスリーブ８が取り付けられており、前記ばねスリーブ８の内部とプランジャーロッド２との間に圧縮ばね９が設けられており、前記プランジャーロッド２の外壁に排気孔１０が設けられており、前記ばねスリーブ８の頂部に係止ヘッド１１が設けられており、前記プランジャーロッド２の頂部にゴムシールプラク１２が係止されており、前記プランジャーロッド２の内壁に、ばねスリーブ８の底部を押し付けるための係止ブロック１３が設けられており、前記シールリング３が注射筒１の底部に置かれ、前記シールリング３の中部にスルーホール１４が設けられており、前記シールリング３の両側に固定溝７に嵌合される凸リブ１５が設けられており、前記針基４が下から上へ幅が順番に減少していく第１の段差面１６、第２の段差面１７及び第３の段差面１８を含み、前記針基４が第１の段差面１６を介してシールリング３のスルーホール１４に固定され、前記第１の段差面１６に、係止ヘッド１１と嵌合される係合溝１９が設けられており、前記第３の段差面１８の内部に注射針２０が設けられている新規複合型自己破壊注射器。
【００１３】
前記係止ブロック２１が四等分の構造となり、環状にプランジャーロッド２の内壁に設けられる。
【００１４】
前記シールリング３の底部にゴムシールプラク１２の頂部と嵌合される凹面２１が設けられている。
【００１５】
前記プランジャーロッド２の頂部に裏蓋２２が係止されている。
【００１６】
前記ゴムシールプラク１２にプランジャーロッド２の頂部を係止する係止溝２３が設けられている。
【００１７】
前記第１の段差面１６とシールリング３とが緩衝キャビティ２４を形成する。
【００１８】
本考案は、プランジャーロッドの端部に拡幅セグメントと標準幅セグメントとの２種類の幅が異なるという設計を用い、拡幅セグメントの内壁の幅が標準幅セグメントよりも大きいことで、シールリングがより手軽で、手間を省いてプランジャーロッドとともに下に向けて移動することを確保でき、同時にシールリングとゴムシールプラクが改めて標準幅セグメントに戻ることを回避することもできる。ばねスリーブの端部がプランジャーロッドの内壁における係止ブロックに係止されて、使用時の全体の安定性を確保し、プランジャーロッドにおける排気孔は空気圧力を減少して、注射針回収時に手間を省く役割を果たすことができる。圧縮ばねの中間に密着連結の設計を用いることで、ばねが絡み合うのを減少する役割を果たすことができる。このような設計により、自動的に組立てても手動で組立てても、仕事量を減少させる働きをすることができる。
【００１９】
本考案の使用方法は下記の通りである。
１、注射器を用いて調薬する必要がある場合、図７に示すように、ユーザがプランジャーロッドを零位置状態まで押す。この場合、ばねスリーブの係止ヘッドがニードルシートの緩衝キャビティに位置し、ニードルシートにおける係合溝と係止せず、自己破壊機能をトリガすることを回避し、安全に調薬することを実現させる。
２、調薬完了後、薬剤を患者の体内に注射することが必要である。図８に示すように、プランジャーロッドが始動状態まで押され、ばねスリーブの係止ヘッドが針基の緩衝キャビティに位置し、針基における係合溝と係止せず、自己破壊機能をトリガすることなく、注射を実施する際の安全性を保証し、医療事故を回避する。
３、注射が完了し注射器を人体外に引き抜いた後、注射器の自己破壊を実現させることが必要である。図９に示すように、注射器のプランジャーロッドを図８の状態から下にプッシュし続け、プランジャーロッドの下端部がシールリングを押し付け、シールリング両側の凸リブが固定溝の係止から外れ、プランジャーロッドとともに標準幅セグメントから下方の拡幅セグメントに向けて移動する。係止ヘッドが緩衝キャビティを貫通して針基における係合溝と係止されるまで、シールリングと注射筒との間の隙間に発生する圧縮空気が第１の段差面に対して生成する、針基を上に押し動かす弾性応力がますます大きくなり、継続的にプランジャーロッドを下へ押し動かすことで、ばねスリーブの端部が４段の係止ブロックの係止から外れる。同時に標準幅セグメントの幅が拡幅セグメントよりも小さく、かつ、シールリングとゴムシールプラクの両側に全て凸リブが付いているので、それらが拡幅セグメント領域に入る場合、標準幅セグメントに戻ることはない。
４、圧縮ばねに付勢されて、図１０に示すように、ばねスリーブの弾性応力、それに圧縮空気の針基に対する弾性応力により、ばねスリーブが針基とともにプランジャーロッドのキャビティ内に跳ねる。圧縮ばねが伸長後に、ばねスリーブのプランジャーロッドのキャビティにおける最先端を押し付け、注射針が落下しプランジャーロッドを露出させることがないように保証できる。プランジャーロッドに通気孔が開いているので、注射針がより跳ね返りやすい。このような複合型注射器の組付け構造により、ユーザが注射器を取り扱って注射を実施する時や自己破壊時に、段階を著しく分けることができ、いずれの段階にも明確な操作フィードバックがあり、注射を実施する安全性を確保し、自己破壊の信頼性を実現することができる。
【００２０】
以上、本考案及びその実施の態様を説明したが、この説明は制限するものではなく、添付図面に示すのも本考案の実施態様の１つに過ぎず、実際の構造はこれに制限されない。つまり、当業者がその示唆を受けて、本考案の趣旨を逸脱することなく、創造性がなく設計された前記技術的手段と同様な構造方式及実施の形態は、全て本考案の保護範囲に属すべきである。
【符号の説明】
【００２１】
１    注射筒
２    プランジャーロッド
３    シールリング
４    針基
５    標準幅セグメント
６    拡幅セグメント
７    固定溝
８    ばねスリーブ
９    圧縮ばね
１０    排気孔
１１    係止ヘッド
１２    ゴムシールプラク
１３    係止ブロック
１４    スルーホール
１５    凸リブ
１６    第１の段差面
１７    第２の段差面
１８    第３の段差面
１９    係合溝
２０    注射針
２１    凹面
２２    裏蓋
２３    係止溝
２４    緩衝キャビティ
【図１】
0003225525.tif 000003
【図２】
0003225525.tif 000004
【図３】
0003225525.tif 000005
【図４】
0003225525.tif 000006
【図５】
0003225525.tif 000007
【図６】
0003225525.tif 000008
【図７】
0003225525.tif 000009
【図８】
0003225525.tif 000010
【図９】
0003225525.tif 000011
【図１０】
0003225525.tif 000012
【図１１】
0003225525.tif 000013